(57)【要約】  【課題】  低照度環境下においても、撮像対象に対して適正な照明を与えられる双方向映像通信可能な通信端末を提供する。  【解決手段】  筐体１５に設けられた自己発光型の表示部２３と、表示部２３の表示方向と略同一方向に向けて設けられた撮像部２７とを備え、少なくとも他局から受信した他局映像を表示部２３に表示するとともに、撮像部２７により撮像した自局映像を他局へ伝送する双方向映像通信を行える通信端末１００であって、表示部２３の少なくとも一部が撮像部２７の撮像対象に対して照明光を照射する照明領域６５として使用される照明モードを選択可能にする。【選択図】  図１
2006279744.tif 000002
【特許請求の範囲】
【請求項１】
筐体に設けられた自己発光型の表示部と、前記表示部の表示方向と略同一方向に向けて設けられた撮像部とを備え、
少なくとも他局から受信した他局映像を前記表示部に表示するとともに、前記撮像部により撮像した自局映像を他局へ伝送する双方向映像通信を行える通信端末であって、
前記表示部の少なくとも一部が前記撮像部の撮像対象に対して照明光を照射する照明領域として使用される照明モードを選択可能である通信端末。
【請求項２】
前記双方向映像通信を行っている際に、
前記他局映像が前記表示部に表示されていないとき、
前記他局映像が前記自局の前記表示部に表示されていない片方向映像表示状態であることを示す表示を前記他局の表示部に表示させる片方向映像報知モードを選択可能である請求項１記載の通信端末。
【請求項３】
前記他局映像および前記自局映像のうちの少なくとも一方に対して映像補正を行う映像補正モードを選択可能である請求項1または請求項２記載の通信端末。
【請求項４】
前記自局映像に対して任意の演出補正を行う映像演出モードを選択可能である請求項１ないし請求項３のうちのいずれかに記載の通信端末。
【請求項５】
前記表示部の表示方向に対して略同一方向に向けて設けられた照度センサを備え、
前記照度センサによる検出値が一定以下であるときに前記照明モードを選択する自動照明モードを選択可能である請求項１ないし請求項４のうちのいずれかに記載の通信端末。
【発明の詳細な説明】
【技術分野】
【０００１】
本発明は双方向映像通信機能付きの通信端末に関し、特に低照度環境下における安定した撮像対象の映像取得を可能とする改良技術に関する。
【背景技術】
【０００２】
通信端末である例えばＴＶ機能付き携帯電話端末が普及するに伴い、従来の音声通話のみの携帯電話端末同様に、夜間等の周辺照度が低い環境下でもＴＶ電話機能を使用したいという利用者ニーズが高まってきている。これは「いつでも」「どこでも」使用可能であるという移動体通信端末の特性上当然のニーズと言える。
その一方、暗い場所でカメラ付き携帯電話を使用する場合、被写体となる通話者を照明する手段がこれまでなかった。
【０００３】
このような不具合を解消したものに、特許文献１に開示されるカメラ付き携帯端末がある。このカメラ付き携帯端末は、被写体を撮影するカメラユニットを備えたカメラ付き携帯端末に、光源からの光をカラーフィルタを透過させた光を発生するタリーランプを設けている。
これにより、カメラ撮影を行なう時には、被写体となる人に撮影を行なっていることを認識させることができ、しかも、テレビ電話として使用する時には、通話者を照明する照明として用いることができた。
【０００４】
ところが、このようなカメラ付き携帯端末は、発光素子を新たに追加しなければならず、消費電流を増加させるとともに、新たに素子を実装するため、端末の小型化に不利となった。
【０００５】
そこで、照明用発光素子として、自己発光型表示部を用いることが考えられた。特許文献２に開示されるカメラ付き携帯端末では、周辺環境の照度に適応した形で発光部であるＬＣＤのバックライトの輝度を自動調整することにより、発光部全域の光度を変化させるという機能を有しており、これを応用すれば、発光部全域の光度を上昇させ、自局の撮像対象の照明光として使用することは容易に類推できた。
【特許文献１】特願２００１−１７７４６５号公報
【特許文献２】特開２００２−３００４４７号公報
【発明の開示】
【発明が解決しようとする課題】
【０００６】
しかしながら、特許文献２に開示されるカメラ付き携帯端末は、表示部全域の輝度を上昇させるのみであるため、例えば図７に示すように、表示部１に表示中の映像３が暗色（黒、紺、深緑等）である場合、バックライトの輝度を上昇させても、バックライトの光が表示部１を透過しにくく、照明光としての光度が得られない可能性があった。
【０００７】
例えば相手５や自分７が黒い衣服を着て、黒い背景で撮影されている場合には、バックライトの輝度を十分に上昇させても、暗色で塞がれ、照明光として利用可能な光が出射されない。また、この場合、無理に輝度を上昇させれば、白ヌケが生じ、画像劣化の要因となった。
【０００８】
このような問題は、双方向映像通信（ＴＶ電話）を行う携帯電話だけではなく、公衆回線を用いることなく双方向映像通信を行う映像付きトランシーバ等の通信端末にも同様に生じる可能性があった。
【０００９】
本発明は、従来の問題を解決するためになされたもので、低照度環境下においても、撮像対象に対して適正な照明を与えられる双方向映像通信可能な通信端末を提供することを目的とする。
【課題を解決するための手段】
【００１０】
本発明の通信端末は、筐体に設けられた自己発光型の表示部と、前記表示部の表示方向と略同一方向に向けて設けられた撮像部とを備え、少なくとも他局から受信した他局映像を前記表示部に表示するとともに、前記撮像部により撮像した自局映像を他局へ伝送する双方向映像通信を行える通信端末であって、前記表示部の少なくとも一部が前記撮像部の撮像対象に対して照明光を照射する照明領域として使用される照明モードを選択可能とした構成を有している。
【００１１】
この構成により、照明領域を明色（白、黄、灰等）にすることで、照明領域におけるバックライトの光の透過率が高まり、例えば表示部に表示中の映像が暗色（黒、紺、深緑等）である場合等、他局映像の色相に関係なく、自局の撮影対象が効果的に照明されることとなる。
【００１２】
また、本発明の通信端末は、前記双方向映像通信を行っている際に、前記他局映像が前記表示部に表示されていないとき、前記他局映像が前記自局の前記表示部に表示されていない片方向映像表示状態であることを示す表示を前記他局の表示部に表示させる片方向映像報知モードを選択可能とした構成を有している。
【００１３】
この構成により、自局または他局の電波状況や自局の照明モードの運用等により、相手の映像が自局の表示部に表示されていないときに、例えば「矢印」等を相手に報知することにより、片方向映像表示状態であることが相手に通報可能となる。
【００１４】
さらに、本発明の通信端末は、前記他局映像および前記自局映像のうちの少なくとも一方に対して映像補正を行う映像補正モードを選択可能とした構成を有している。
【００１５】
この構成により、映像補正モードが選択されることで、低照度環境下での双方向映像通信時に、話者照明を実施した場合に、話者および通話相手の輝度、彩度、コントラスト、明度、色相等が補正され、照明機能が使用されない場合と、同等品質での表示が可能となる。
【００１６】
また、本発明の通信端末は、前記自局映像に対して任意の演出補正を行う映像演出モードを選択可能とした構成を有している。
【００１７】
この構成により、自局映像に対して映像演出モードが選択されることで、低照度環境下での話者照明色が表示部の表示可能色の全ての中から選択可能となり、撮影画像に様々な演出効果を施すことが可能となる。
【００１８】
また、本発明の通信端末は、前記表示部の表示方向に対して略同一方向に向けて設けられた照度センサを備え、前記照度センサによる検出値が一定以下であるときに前記照明モードを選択する自動照明モードを選択可能とした構成を有している。
【００１９】
この構成により、照度センサによる検出値が一定以下であり、かつその状態が一定時間以上継続したときに、照明モードが自動に設定可能となる。
【発明の効果】
【００２０】
本発明は、表示部の少なくとも一部に、撮像対象に対して照明光を照射する照明領域を設けることにより、照明領域を明色にすることで、照明領域におけるバックライトの光の透過率が高まり、例えば表示部に表示中の映像が暗色である場合等、他局映像の色相に関係なく、自局の撮影対象を効果的に照明できる。
この結果、新たな発光素子を追加することなく、白ヌケを防止して、十分な照明光を得ることができ、低照度環境下における良好な画像取得を実現できるという効果を有する通信端末を提供できるものである。
【発明を実施するための最良の形態】
【００２１】
以下、本発明の実施形態の通信端末について、図面を用いて説明する。
図１は本発明の実施形態に係る通信端末の外観斜視図、図２は図１に示した通信端末を主要構成部別に表したブロック図、図３は照明モードによって表示される画面構成例を（ａ）〜（ｆ）で表した説明図、図４は表示装置の照明制御手順を表したフローチャート、図５は片方向映像報知モードの画面構成を表した説明図、図６は映像演出モード選択時の画面構成を表した説明図である。
通信端末１００は、図１に示すように、上筐体１１および下筐体１３からなる筐体１５がヒンジ部１７によって折り曲げ自在に連結されている。
【００２２】
上筐体１１は、音声出力部である受話部（レシーバ）１９と、表示装置２１を備えた自己発光型の表示部２３と、撮像デバイス２５を備えた撮像部（カメラ部）２７と、図示しない第１プリント基板等を有している。撮像デバイス２５は、カメラ部２７によって撮影者自身を撮影可能な所謂、自分撮り対応カメラとなっている。下筐体１３は、送話部（マイクロフォン）２９と、操作部３１と、図示しないバイブレータ部、着脱可能な電池、第２プリント基板等を有している。
なお、第２プリント基板は、後述の制御ブロック、通信モデム部、照明機能起動トリガ発生回路等を含んでいる。
【００２３】
通信端末１００は、カメラ部２７が、上筐体１１に設けられた表示部２３と、略同一方向に向けられて、少なくとも他局から受信した他局映像を表示部２３に表示するとともに、カメラ部２７により撮像した自局映像を他局へ伝送する双方向映像通信を行えるように構成される。
【００２４】
筐体１５内のプリント基板には、ＬＳＩからなる図２に示す制御ブロック３５が設けられる。制御ブロック３５には、撮像デバイス２５、表示装置２１、照明機能起動トリガ発生回路３７、通信モデム部３９が接続される。制御ブロック３５は、重畳表示機能実施部４１、送信画像設定部４３、受信画像設定４５、通信制御部４７、表示装置制御部４９とからなる。表示装置制御部４９は、さらに表示画像補正機能部５１、照明色設定機能部５３、照明強度設定機能部５５、画面構成設定機能部５７からなる。
【００２５】
撮像デバイス２５からの撮像画像は、制御ブロック３５へと送られる。表示装置制御部４９は、表示画面データ、表示装置制御信号を表示装置２１へ送出する。また、表示装置制御部４９には、照明機能起動トリガ発生回路３７による例えば手動ＳＷ、照明センサ、その他のトリガ発生手段から照明ＯＮ／ＯＦＦ制御信号が入力される。
表示装置制御部４９は、重畳表示機能実施部４１へ「非表示」アイコンを表示させるための重畳表示制御信号を送出する。重畳表示制御信号の入力された重畳表示機能実施部４１は、重畳表示制御信号の付加された撮像画像データを送信画像設定部４３へと送る。
【００２６】
また、表示装置制御部４９は、照明機能起動トリガ発生回路３７からの照明ＯＮ／ＯＦＦ制御信号を受けることで、表示画像補正機能部５１、照明色設定機能部５３、照明強度設定機能部５５、画面構成設定機能部５７を作動させて、表示部２３の少なくとも一部が撮像デバイス２５の撮像対象に対して照明光を照射する照明領域として使用される照明モードを設定し、その表示装置制御信号を表示部２３へ送出するようになっている。
【００２７】
表示部２３の少なくとも一部が撮像デバイス２５の撮像対象に対して照明光を照射する照明領域として使用される照明モードとしては、図３（ａ）に示すように、他局映像６１の下部に自局映像６３が表示され、自局映像６３の左右に照明領域６５が設定されるもの、図３（ｂ）に示すように、他局映像６１と自局映像６３を挟む左右に照明領域６５が設定されるもの、図３（ｃ）に示すように、他局映像６１と自局映像６３を包囲するように照明領域６５が設定されるもの、図３（ｄ）に示すように、他局映像６１と自局映像６３の下半分に照明領域６５が設定されるもの、図３（ｅ）に示すように、下部の一部分に自局映像６３のみを表示し他の全ての部分に照明領域６５が設定されるもの、図３（ｆ）に示すように、全ての表示部分に照明領域６５が設定されるものとできる。
この場合、以上のような画面構成により（ａ）〜（ｆ）に進むに従って照明領域６５の面積が大きくなり、出射光量の増大が可能となる。
【００２８】
以上のように構成された通信端末１００について、図４を用いてその動作を説明する。
通信端末１００の双方向映像通信機能（ＴＶ電話機能）が起動されると（Ｓ１）、照明機能の使用の有無が表示装置制御部４９によって判断される（Ｓ２）。照明機能起動トリガ発生回路３７より照明ＯＮ制御信号が入力されている場合、照明モードとなる。
表示装置制御部４９は、照明機能起動トリガ発生回路３７からの照明ＯＮ制御信号がａｕｔｏモードによるものかｍａｎｕａｌモードによるものかを判定する（Ｓ３）。ａｕｔｏモードによる場合には、ａｕｔｏトリガ種類(照度、撮影画像、時刻、etc)が選択される（Ｓ４）。これにより、照明機能起動トリガ信号が送出される。
【００２９】
このように、通信端末１００では、表示部２３の表示方向に対して略同一方向に向けて設けられた照度センサ等を備えることで、この照度センサによる検出値が一定以下であるときに、照明モードを選択する自動照明モードを選択可能とできる。
この構成により、照度センサによる検出値が一定以下であり、かつその状態が一定時間以上継続したときに、照明モードが自動に設定可能となる。
例えば、双方向映像通信時において、高照度環境下から低照度環境下へと環境変化が発生した場合であっても、特別な操作なしに照明モードが自動で起動され、話者の安定した画像の取得が可能となる。
【００３０】
ａｕｔｏモード、ｍａｎｕａｌモードの判定処理の後、照明パタンのｆｉｘまたはｒａｎｄｕｍが判定される（Ｓ５）。ｆｉｘの場合には色設定がされ（Ｓ６）、ｒａｎｄｕｍの場合には色パタン設定がされる（Ｓ７）。照明パタン設定の後、照明強度が判定され（Ｓ８）、ｆｉｘの場合には固定値設定され（Ｓ９）、ｒａｎｄｕｍの場合には変化パタン設定される（Ｓ１０）。
【００３１】
照明パタン設定の後、表示画面補正の必要の有無が判定され（Ｓ１１）、必要な場合には表示装置制御部４９の表示画像補正機能部５１によって表示画像補正機能がＯＮされる（Ｓ１２）。
【００３２】
通信端末１００では、表示装置制御部４９の表示画像補正機能部５１、画面構成設定機能部５７によって、表示部２３の少なくとも一部がカメラ部２７の撮像対象に対して照明光を照射する照明領域として使用される照明モードに設定される。
この構成により、照明領域６５を明色（白、黄、灰等）にすることで、照明領域６５におけるバックライトの光の透過率が高まり、例えば表示部２３に表示中の映像が暗色（黒、紺、深緑等）である場合等、他局映像６１の色相に関係なく、自局の撮影対象が効果的に照明されることとなる。
なお、照明モードは、双方向映像通信の場合に限らず、使用者の好みにより任意に使用が可能となる。また、ここで言う、表示部２３の少なくとも一部とは表示部２３の全部を含むものである。
【００３３】
また、通信端末１００では、他局映像６１および自局映像６３のうちの少なくとも一方に対し、表示画像補正機能部５１によって、映像補正を行う映像補正モードを選択可能としている。
この構成により、映像補正モードが選択されることで、低照度環境下での双方向映像通信時に、話者照明を実施した場合に、話者および通話相手の輝度、彩度、コントラスト、明度、色相等が補正され、照明機能が使用されない場合と、同等品質での表示が可能となる。なお、この映像補正モードは、照明モードの使用時に限り使用されるものでなくてもよい。
【００３４】
さらに、通信端末１００では、表示装置制御部４９の照明色設定機能部５３によって、自局映像６３に対して任意の演出補正を行う映像演出モードを選択可能としている。
この構成により、自局映像６３に対して映像演出モードが選択されることで、低照度環境下での話者照明色が表示部２３の表示可能色の全ての中から選択可能となり、撮影画像に様々な演出効果（例えば図６に示すように、照明領域６５の全体をセピア等に着色することによる演出効果）を施すことが可能となる。
【００３５】
次いで、画面構成が選択される（Ｓ１３）。画面構成の選択は、照明機能が使用されなかった場合、照明モードが使用された場合のいずれの場合にも選択処理がなされる。次いで、通話相手の画像非表示の有無が判断され（Ｓ１４）、非表示の場合には表示装置制御部４９から「非表示」アイコン重畳表示制御信号が重畳表示機能実施部４１へ送出される。これにより、送出画像に「非表示」サイン（後述の表示７１）が多重化される。
【００３６】
このように、通信端末１００では、双方向映像通信を行っている際に、他局映像６１が表示部２３に表示されていないとき、他局映像６１が自局の表示部２３に表示されていない片方向映像表示状態であることを示す例えば矢印等の表示７１（図５参照）を他局の表示部に表示させる片方向映像報知モードを選択可能としている。
【００３７】
この構成により、自局または他局の電波状況により、相手の映像が自局の表示部２３に表示されていないときに、表示７１を相手に報知することにより、片方向映像表示状態であることが相手に通報可能となる。
なお、携帯電話等の通信端末では、通信が上りと下りのそれぞれ違うシステムで通信される。すなわち、自局の送信データを相手に送信する場合を上りと称し、通信端末から基地局へとデータを伝送する。
【００３８】
一方、他局映像を自局に表示する下りの場合は、基地局から発信されているデータを受信する。
ここで、基地局からの出力は、２〜３Ｗであるのに対し、携帯電話の出力は０．６Ｗ程度であるため、下りデータは受信容易である一方、携帯電話から基地局への上りデータは良好に伝送できない状態に陥る場合がある。このような場合には、他局映像が良好に受信できる一方、自局映像が他局へ届かず、片方向映像表示状態となる。
本構成の作用によれば、このような片方向映像表示状態に、映像表示不全であることを表示７１によって相手からの報知により知ることができ特に有効となる。
【００３９】
次いで、表示装置制御部４９は、照明ＯＮ／ＯＦＦ制御信号を表示装置２１へ送出し、表示装置２１の照明ＯＮ／ＯＦＦ制御を上記の各設定に基づいて起動させる（Ｓ１６）。ＴＶ電話通話が開始されると（Ｓ１７）、制御割り込み監視が行われ（Ｓ１８）、制御割り込みが発生すると、制御割り込み内容に応じて表示装置制御部４９が照明制御の実行を行う（Ｓ１９）。制御割り込みが行われず、通話終了コマンドが入力されると（Ｓ２０）、制御ブロック３５がＴＶ電話通話を終了し、表示装置制御部４９の上記の各設定をデフォルト設定に戻し（Ｓ２１）、ＴＶ電話機能を停止させる（２２）。
【００４０】
このような本発明の実施形態に係る通信端末１００によれば、表示部２３の少なくとも一部に、撮像対象に対して照明光を照射する照明領域６５を設けることにより、照明領域６５を明色にすることで、照明領域６５におけるバックライトの光の透過率が高まり、例えば表示部２３に表示中の映像が暗色である場合等、他局映像６１の色相に関係なく、自局の撮影対象を効果的に照明できる。
この結果、新たな発光素子を追加することなく、白ヌケを防止して、十分な照明光を得ることができ、低照度環境下における良好な画像取得を実現できる。
【産業上の利用可能性】
【００４１】
以上のように、本発明に係る通信端末は、表示部に表示中の映像が暗色である場合等、他局映像の色相に関係なく、自局の撮影対象を効果的に照明できる。この結果、新たな発光素子を追加することなく、白ヌケを防止して、十分な照明光を得ることができ、低照度環境下における良好な画像取得を実現できるという効果を有し、双方向映像通信機能付きの携帯電話端末、映像付きトランシーバ等として有用である。
【図面の簡単な説明】
【００４２】
【図１】本発明の実施形態に係る通信端末の外観斜視図である。
【図２】図１に示した通信端末を主要構成部別に表したブロック図である。
【図３】照明モードによって表示される画面構成例を（ａ）〜（ｆ）で表した説明図である。
【図４】表示装置の照明制御手順を表したフローチャートである。
【図５】片方向映像報知モードの画面構成を表した説明図である。
【図６】映像演出モード選択時の画面構成を表した説明図である。
【図７】表示部全域の輝度を上昇させて撮像対象の照明光として用いた従来のカメラ付き携帯端末における画面構成の説明図である。
【符号の説明】
【００４３】
１５  筐体
２３  表示部
２７  カメラ部（撮像部）
６１  他局映像
６３  自局映像
６５  照明領域
７１  表示
１００  通信端末
【図１】
2006279744.tif 000003
【図２】
2006279744.tif 000004
【図３】
2006279744.tif 000005
【図４】
2006279744.tif 000006
【図５】
2006279744.tif 000007
【図６】
2006279744.tif 000008
【図７】
2006279744.tif 000009